(57)【要約】【課題】洗面化粧台のキャビネット等の収納空間に電気温水器を設置するための構造に関し、収納空間の効率的な利用を図る。【解決手段】電気温水器Ｄを、キャビネット１の収納空間Ｓにおける上方部であって洗面器鉢部３ａの側方領域、すなわちキャビネット側板１ａとカウンター２とに囲まれる隅部領域に配置する。また電気温水器Ｄの下面に給水管８と給湯管９とを接続する。デッドスペースを電気温水器の設置領域として有効活用することにより、キャビネット１の収納空間Ｓにおける実質的に利用可能な容積を拡張する。キャビネット１の底板上に電気温水器Ｄの占める箇所が全くないから、底板全体を物品載置用に使用することができ、物品の収納性が格段に向上する。【選択図】      図１
2004160067.tif 000002
【特許請求の範囲】
【請求項１】
上面部材と底面部材と側面部材とで囲まれて成る収納空間における、前記上面部材の直下又は近傍に、電気温水器を配置したことを特徴とする電気温水器の設置構造。
【請求項２】
洗面器又は手洗器を上面部に備えるキャビネットにおける収納空間の上方部であって、洗面器又は手洗器の鉢部の側方領域に電気温水器を配置した請求項１に記載する電気温水器の設置構造。
【請求項３】
洗面器又は手洗器の鉢部の左右両側方領域に、電気温水器のタンクを配置した請求項２に記載する電気温水器の設置構造。
【請求項４】
電気温水器の底面部に、水の流入部と湯の送出部とが設けられている請求項１乃至３のいずれかに記載する電気温水器の設置構造。
【請求項５】
電気温水器を手前側へ摺動させることが可能な摺動支持構造を設けた請求項１乃至４のいずれかに記載する電気温水器の設置構造。
【発明の詳細な説明】
【０００１】
【発明の属する技術分野】
本発明は、洗面化粧台のキャビネット等の収納空間に電気温水器を設置するための構造に関し、収納空間の効率的な利用を図ることを目的とする。
【０００２】
【従来の技術】
図１７は、電気温水器Ｌが設置される洗面化粧台Ｋの一例を示すものである。この洗面化粧台Ｋは、キャビネット１の上部に設けたカウンター２に洗面器３が設置され、この洗面器３に湯水混合栓４を取り付けている。湯水混合栓４には、給水栓５と連絡する給水管７、及び、電気温水器Ｌと連絡する給湯管９が接続されている。洗面器３の鉢部３ａには、排水管１０が接続されている。電気温水器Ｌは、通常、キャビネット１の底板上に配置され、分岐接続具６を介して給水栓５と連絡する給水管８と、前記給湯管９とが接続されている。
【０００３】
前述したように洗面化粧台Ｋ等のキャビネット１内に電気温水器Ｌを設置すると、その分だけ収納空間Ｓの利用可能な容積が必然的に狭められてしまう。そして、この問題は、電気温水器Ｌのタンク容量を大きくするほど顕著になる。
【０００４】
前記問題を解決するための一手段が特許文献１に記載されており、それは、キャビネットの底板に凹部を設け、この凹部に電気温水器の下部を収納するというものである。かかる構成により、キャビネット収納空間の利用可能な容積を圧迫することなく、電気温水器のタンク容量を拡大することができるとされている。
【０００５】
【特許文献１】
特開２０００−３５０６６７
【０００６】
【発明が解決しようとする課題】
特許文献１に記載の技術もやはり、キャビネットの底板上に電気温水器を設置するものであるから、少なくとも電気温水器の設置面積分だけ、底板の利用可能面積が狭められている。また、電気温水器に給水管・給湯管を配管しなくてはならないから、これらの配管が、収納空間の利用に支障を与えるおそれがある。
【０００７】
【課題を解決するための手段】
本発明が前記従来の問題点を解決するために採用した電気温水器の設置構造の特徴とするところは、上面部材と底面部材と側面部材とで囲まれて成る収納空間における、前記上面部材の直下又は近傍に、電気温水器を配置したことである。かかる構成により、電気温水器を底面部材の上方に配置することができるので、収納空間の利用可能な容積が拡大し、また底面部材の表面全体を有効利用することが可能となる。また、給水管・給湯管等の電気温水器に対する配管を、収納空間の上方領域に収めることができるから、収納空間の利用性に支障を与えることが少なくなる。
【０００８】
本発明は、洗面器又は手洗器を上面部に備えるキャビネットに適用することができる。この場合、電気温水器を、キャビネットの収納空間における上方部であって、洗面器又は手洗器の鉢部の側方領域に配置するのが望ましい。さらには、洗面器又は手洗器の鉢部の左右両側方領域に、電気温水器のタンクを配置することも可能である。
【０００９】
なお本発明に使用する電気温水器は、底面部に水の流入部と湯の送出部とを設けたものとするとよい。かかる構成によれば、電気温水器に対する配管接続作業が容易になる。
【００１０】
さらに電気温水器の取付手段として、これを手前側へ摺動させることが可能な摺動支持構造を採用すれば、電気温水器の設置作業やメンテナンス作業が容易になる。
【００１１】
【発明の実施の形態】
［第１の実施形態］
図１及び図２は、洗面化粧台Ｋに、本発明に係る電気温水器の設置構造を適用した第１の実施形態を示すものである。図示する洗面化粧台Ｋは、キャビネット１の上部に設けたカウンター２に洗面器３を設置し、この洗面器３に湯水混合栓４を取り付け、湯水混合栓４に給水栓５と連絡する給水管７及び電気温水器Ｌと連絡する給湯管９を接続し、洗面器３の鉢部３ａに排水管１０を接続したものである。本例は、電気温水器Ｄを、キャビネット１の収納空間Ｓにおける上方部であって洗面器鉢部３ａの側方領域、すなわちキャビネット側板１ａとカウンター２とに囲まれる隅部領域に配置した点、及び、電気温水器Ｄの下面に、分岐接続具６を介して給水栓５と連絡する給水管８と前記給湯管９とを接続した点に特色を有している。
【００１２】
本例において電気温水器Ｄが配置される空間領域は、従来、積極的には利用されることのない、いわゆるデッドスペースである。本発明は、このデッドスペースを有効活用することにより、キャビネット１の収納空間Ｓにおける実質的に利用可能な容積の拡張を図っている。しかも本例は、キャビネット１の底板上に電気温水器Ｄの占める箇所が全くないから、底板全体を物品載置用に使用することができ、従って、物品の収納性が従来よりも格段に向上している。さらに、電気温水器Ｄに対する配管（給水管８・給湯管９）を収納空間Ｓの比較的上方に集めることができ、この点も、物品収納性の向上に寄与している。
【００１３】
本例に使用する電気温水器Ｄのタンク１１は、例えば図３のような構造とすることが考えられる。タンク１１は、ハウジング１２内に収められ、その内部下方にヒータ１３が取り付けられ、給水管８が接続される給水部１４と、給湯管９が接続される出湯部１５とを下面に設けたものである。給水管８の管端８ａは、タンク１１の下面近傍に開口し、給湯管９の管端９ａは、タンク１１の上面近傍に開口するように設定されている。従って、タンク１１内の水をヒータ１３で加熱すると、上方に湯又は温水として溜まるから、温度の高い湯又は温水から順に使用することが可能である。
【００１４】
［第２の実施形態］
図４及び図５に示すように、洗面化粧台Ｋの収納空間Ｓにおいて、洗面器鉢部３ａの左右両側方に空間（デッドスペース）を有する場合、電気温水器を次のように構成してもよい。一方の側方空間に、給水管８が接続される電気温水器の一次タンクＤ１を設置し、他方の側方空間に、ヒータを備え給湯管９が接続される二次タンクＤ２を設置すると共に、両者を連通管２０で通水可能に連結する。かかる構成により、タンク容量の増大がもたらされるが、収納空間Ｓにおける実質的に有効利用可能な容積については減少させることがない、という効果を得ることができる。
【００１５】
なお、一次タンクＤ１，二次タンクＤ２を洗面器鉢部３ａの左右両側方に配置する場合、図６のように、両タンク    Ｄ１，Ｄ２を一体成形したものとすることもできる。
【００１６】
［第３の実施形態］
図７及び図８に示すように、電気温水器Ｄと湯水混合栓４との配管構造に、元止め式構造を採用してもよい。すなわち、給水栓５から電気温水器Ｄへ至る給水経路の途中に湯水混合栓４等の水栓を配設し、この湯水混合栓４等を操作して、電気温水器Ｄの一次側給水管８を開閉することにより、二次側の給湯管９からの出湯を制御する。元止め式構造の電気温水器Ｄは、止水時、タンクに給水圧が作用しないから、耐圧性能の低いものを使用可能である。従って、タンクを例えば合成樹脂製とすることができるから、タンク形状の自由度が増すと共に、製造コストの低廉化を図ることが可能である。
【００１７】
［第４の実施形態］
図９に示すように、電気温水器Ｄに対する給水管８及び／又は給湯管９の接続位置は、電気温水器Ｄの側面とすることも妨げない。
【００１８】
［第５の実施形態］
図１０に示す如く、電気温水器Ｄの形状を、設置領域の空間形状に合わせて、適宜変形することも可能である。かかる構成により、タンク容量の拡大を図ることができる。なお本例を採用する場合、電気温水器Ｄと湯水混合栓４との間の配管構造を元止め式とすると共に、タンクの材質を形状自由度の高い合成樹脂製とすることが望ましい。
【００１９】
［第６の実施形態］
図１１に示すように、洗面化粧台Ｋにおけるキャビネット１の一方の側板部材が、躯体壁面Ｗで構成されている場合、電気温水器Ｄの設置箇所を、カウンター２等の上面部材と躯体壁面Ｗとに囲まれた領域とすることができる。
【００２０】
［電気温水器の取付手段］
図１２乃至図１６に、電気温水器Ｄの取付手段を例示する。図１２は、カウンター２等の上面部材の下面部にガイドレール３１を取り付けると共に、電気温水器Ｄの上面部にスライダー３２を設け、上記ガイドレール３１にスライダー３２を嵌合させることにより、電気温水器Ｄを手前側へ摺動可能としたものである。あるいは図１３の如く、カウンター２等の上面部材の下面部に取り付けたガイドレール３１に、電気温水器Ｄの上面部に設けたフランジ３３を嵌合させる構造としてもよい。さらには図１４のように、電気温水器Ｄ全体を出し入れ可能に収納するホルダー３４を、カウンター２等の下面部に取り付ける構造も考えられる。これらの取付手段を採用すれば、電気温水器Ｄの設置作業及びメンテナンス作業が容易になる、という利点が得られる。
【００２１】
なお、図１５や図１６に示すように、ブラケット３０を用いて、電気温水器Ｄをカウンター２等と上面部材や、キャビネット側板１ａ等の側面部材に固定する構造を採用することも妨げない。
【００２２】
【発明の効果】
本発明によれば、キャビネット等の収納空間における通常はあまり利用されることのない所謂デッドスペースを、電気温水器の設置領域として活用するものであるから、収納空間における実質的に有効利用し得る容積が、従来よりも拡大する。従って、キャビネット等の収納力を向上させる。
【００２３】
また、電気温水器の底面部に水の流入部と湯の送出部とを設ければ、電気温水器に対する配管接続作業を容易にすることができる。
【００２４】
さらに電気温水器の取付手段として、これを手前側へ摺動させることが可能な摺動支持構造を採用すれば、電気温水器の設置作業やメンテナンス作業が容易になる。
【図面の簡単な説明】
【図１】本発明の第１の実施形態に関するものであって、本発明を適用した洗面化粧台を示す正面断面図である。
【図２】本発明の第１の実施形態に関するものであって、本発明を適用した洗面化粧台を示す側面断面図である。
【図３】本発明に利用する電気温水器の一例を示す正面断面図である。
【図４】本発明の第２の実施形態に関するものであって、本発明を適用した洗面化粧台を示す正面断面図である。
【図５】本発明の第２の実施形態に関するものであって、本発明を適用した洗面化粧台を示す平面図である。
【図６】本発明の第２の実施形態に関するものであって、本発明を適用した洗面化粧台の別態様を示す平面図である。
【図７】本発明の第３の実施形態に関するものであって、本発明を適用した洗面化粧台を示す正面断面図である。
【図８】本発明の第３の実施形態に関するものであって、本発明を適用した洗面化粧台を示す側面断面図である。
【図９】本発明の第４の実施形態に関するものであって、本発明を適用した洗面化粧台を示す要部の正面断面図である。
【図１０】本発明の第５の実施形態に関するものであって、本発明を適用した洗面化粧台を示す要部の正面断面図である。
【図１１】本発明の第６の実施形態に関するものであって、本発明を適用した洗面化粧台を示す正面断面図である。
【図１２】本発明の実施形態に関するものであって、電気温水器の取付手段の一例を示す要部の正面断面図である。
【図１３】本発明の実施形態に関するものであって、電気温水器の取付手段の異なる例を示す要部の正面断面図である。
【図１４】本発明の実施形態に関するものであって、電気温水器の取付手段のさらに異なる例を示す要部の正面断面図である。
【図１５】本発明の実施形態に関するものであって、電気温水器の取付手段のさらに異なる例を示す要部の正面断面図である。
【図１６】本発明の実施形態に関するものであって、電気温水器の取付手段のさらに異なる例を示す要部の正面断面図である。
【図１７】電気温水器が設置された従来の洗面化粧台を示す正面断面図である。
【符号の説明】
Ｋ…洗面化粧台  Ｄ…電気温水器  Ｄ１，Ｄ２…タンク  Ｓ…収納空間  Ｗ…壁面  １…キャビネット  １ａ…側面パネル（側面部材）  ２…カウンター  ３…洗面器  ３ａ…鉢部  ４…湯水混合栓  ５…給水栓  ６…分岐接続具  ７，８…給水管  ９…給湯管  １０…排水管
【図１】
2004160067.tif 000003
【図２】
2004160067.tif 000004
【図３】
2004160067.tif 000005
【図４】
2004160067.tif 000006
【図５】
2004160067.tif 000007
【図６】
2004160067.tif 000008
【図７】
2004160067.tif 000009
【図８】
2004160067.tif 000010
【図９】
2004160067.tif 000011
【図１０】
2004160067.tif 000012
【図１１】
2004160067.tif 000013
【図１２】
2004160067.tif 000014
【図１３】
2004160067.tif 000015
【図１４】
2004160067.tif 000016
【図１５】
2004160067.tif 000017
【図１６】
2004160067.tif 000018
【図１７】
2004160067.tif 000019